(57)【要約】【課題】自機が使用したい無線チャネル及び隣接する無線チャネルを他の無線通信装置が選択して使用することを抑制できる無線通信装置を提供すること。【解決手段】本実施形態の無線基地局１は、目的チャネルと、隣接チャネルとの間で順次チャネルを切り替えるチャネル切替処理部１３と、切り替えられた各チャネルに送信されるビーコン、データ及びＣＴＳの送信順序を管理する送信順序管理部２４とを備え、送信順序管理部２４は、目的チャネル及び隣接チャネルのいずれか一つのチャネルにデータが送信されている時に、残りの少なくとも一つのチャネルにＣＴＳを送信する。【選択図】図２
2020161929.tif 000002
【特許請求の範囲】
【請求項１】
複数の無線チャネルの中から設定された目的チャネルと、前記目的チャネルに周波数的に隣接する隣接チャネルとの間で順次チャネルを切り替えるチャネル切替処理部と、
切り替えられた各チャネルに送信されるビーコン、負荷データ及びＣＴＳフレームの送信順序を管理する送信順序管理部と、を備え、
前記送信順序管理部は、前記目的チャネル及び前記隣接チャネルのいずれか一つのチャネルに前記負荷データが送信されている時に、残りの少なくとも一つのチャネルに前記ＣＴＳフレームを送信することを特徴とする無線通信装置。
【請求項２】
前記目的チャネル及び前記隣接チャネルに前記負荷データを送信して該チャネルに通信負荷をかけるデータ送信処理部を備え、
データ送信処理部は、切り替えられた各チャネルにそれぞれ前記負荷データを順次送信することを特徴とする請求項１に記載の無線通信装置。
【請求項３】
前記目的チャネル及び前記隣接チャネルに前記負荷データを送信して該チャネルに通信負荷をかけるデータ送信処理部を備え、
前記目的チャネルに周波数的に隣接する２つの前記隣接チャネルが前記目的チャネルを挟んだ両側に設定され、
前記データ送信処理部は、前記負荷データを２つの前記隣接チャネルに順次送信することを特徴とする請求項１に記載の無線通信装置。
【請求項４】
前記負荷データは、ブロードキャストまたはマルチキャストによって送信されることを特徴とする請求項１〜３のいずれか一項に記載の無線通信装置。
【発明の詳細な説明】
【技術分野】
【０００１】
本発明は、複数の無線チャネルの中から選択された無線チャネルを使用して無線通信する無線通信装置に関する。
【背景技術】
【０００２】
一般に、ＩＥＥＥ８０２．１１等の規格に準拠した無線通信を行う無線通信装置（無線基地局）が知られている。この種の無線通信装置は、自動チャネル選択機能を有し、無線基地局としてサービスを開始するときに、周波数帯域の異なる複数の無線チャネルの通信負荷などの使用状況を自動的に調査して最適な無線チャネルを選択している（例えば、特許文献１参照）。そして、無線通信装置は、サービス開始後に無線端末と接続して通信することが可能となる。
【先行技術文献】
【特許文献】
【０００３】
【特許文献１】特開２００５−１５９７７１号公報
【発明の概要】
【発明が解決しようとする課題】
【０００４】
ところで、無線端末との間で音声や映像のデータを伝送する時には低遅延（リアルタイム）性が要求される。しかし、従来の構成では、音声伝送を行う場合に、他の無線通信装置（無線基地局）が同じ無線チャネルを使用していると、通信衝突などによる通信遅延や通信中断が生じることにより音切れが発生して音声品質を確保することが難しい。また、ＩＥＥＥ８０２．１１規格におけるＷ５２/Ｗ５３/Ｗ５６の周波数帯（５ＧＨｚ帯）を使用した無線基地局では、ある無線チャネルの電波到達範囲内で、他の無線基地局が該無線チャネルに隣接する隣接チャネルを使用して無線通信を行っている場合、これら無線基地局間の距離が近いと、隣接チャネルの電波が干渉波となり通信遅延などの影響を受けることがある。
【０００５】
本発明は、上記に鑑みてなされたものであって、自機が使用したい無線チャネル及び隣接する無線チャネルを他の無線通信装置が選択して使用することを抑制できる無線通信装置を提供することを目的とする。
【課題を解決するための手段】
【０００６】
上述した課題を解決し、目的を達成するために、本発明に係る無線通信装置は、複数の無線チャネルの中から設定された目的チャネルと、目的チャネルに周波数的に隣接する隣接チャネルとの間で順次チャネルを切り替えるチャネル切替処理部と、切り替えられた各チャネルに送信されるビーコン、負荷データ及びＣＴＳフレームの送信順序を管理する送信順序管理部と、を備え、送信順序管理部は、目的チャネル及び隣接チャネルのいずれか一つのチャネルに負荷データが送信されている時に、残りの少なくとも一つのチャネルにＣＴＳフレームを送信する。
【発明の効果】
【０００７】
本発明によれば、自機が使用したい目的チャネル及び隣接チャネルを他の無線通信装置が選択して使用することを抑制できる。
【図面の簡単な説明】
【０００８】
【図１】図１は、第１実施形態に係る無線基地局と他の無線基地局との配置関係の一例を示す概略図である。
【図２】図２は、無線基地局の機能ブロック図である。
【図３】図３は、３つの無線チャネルにそれぞれ通信負荷をかける無線基地局の動作を示すフローチャートである。
【図４】図４は、各無線チャネルに対する送信動作を説明するためのタイムチャートである。
【図５】図５は、無線チャネルにおける２つの隣接チャネルにそれぞれ通信負荷をかける無線基地局の動作を示すフローチャートである。
【図６】図６は、各無線チャネルに対する送信動作を説明するためのタイムチャートである。
【図７】図７は、２つの無線チャネルにそれぞれ通信負荷をかける無線基地局の動作を示すフローチャートである。
【図８】図８は、各無線チャネルに対する送信動作を説明するためのタイムチャートである。
【発明を実施するための形態】
【０００９】
以下に、本発明に係る実施形態を図面に基づいて詳細に説明する。なお、この実施形態によりこの発明が限定されるものではない。また、以下の実施形態における構成要素には、当業者が置換可能かつ容易なもの、あるいは実質的に同一のものが含まれる。
【００１０】
［第１実施形態］
図１は、第１実施形態に係る無線基地局と他の無線基地局との配置関係の一例を示す概略図である。図１において、符号１は第１実施形態に係る無線基地局（無線通信装置）を示す。無線基地局１は、所定の電波到達範囲１Ａ内に無線通信用の電波を出力し、電波到達範囲１Ａ内に存在する無線端末２と無線通信を行うことができる。また、無線基地局１の電波到達範囲１Ａ内には、隣接する複数台（例えば２台）の他の無線基地局（無線通信装置）３、４が配置されている。これら他の無線基地局３、４もそれぞれ自機の電波到達範囲３Ａ、４Ａを有する。無線基地局１の電波到達範囲１Ａは、他の無線基地局３、４の電波到達範囲３Ａ、４Ａと一部に重なっており、無線基地局１は、他の無線基地局３、４の電波到達範囲３Ａ、４Ａ内に配置されている。
【００１１】
無線基地局１及び他の無線基地局３、４は、ＩＥＥＥ８０２．１１規格で規定される５ＧＨｚ帯の周波数帯（Ｗ５２/Ｗ５３/Ｗ５６）の電波を使用する。これら５ＧＨｚ帯の周波数帯（Ｗ５２/Ｗ５３/Ｗ５６）では、周波数の異なる複数の無線チャネルが設定されており、これらの無線チャネルは、チャネル番号が大きくなるにつれて２０ＭＨｚずつ周波数が高くなっている。無線基地局１及び他の無線基地局３、４は、いわゆる自動チャネル選択機能を有する。この自動チャネル選択機能では、例えば、無線基地局１が無線基地局としてサービスを開始するときに、複数の無線チャネルの通信負荷などの使用状況を自動的に調査し、複数の無線チャネルの中から最適な無線チャネルを選択する。無線端末２は、サービス開始後に無線基地局１と接続して通信することが可能となる。
【００１２】
また、無線基地局１及び他の無線基地局３、４は、いわゆるキャリアセンス機能を有する。このキャリアセンス機能は、自機である無線基地局１が送信を開始する前に、この送信を開始しようとする無線チャネルを、他の無線基地局３、４が使用しているか否かを確認し、他の無線基地局３、４が上記無線チャネルを使用中であれば送信を待機する。これにより、通信衝突などによる通信遅延や通信中断を回避することができる。
【００１３】
ところで、無線基地局１と無線端末２との間で音声や映像のデータを伝送する時には低遅延（リアルタイム）性が要求される。ここで、音声等のデータを伝送する場合に、他の無線基地局３、４が同じ無線チャネルを使用していると、通信衝突などによる通信遅延や通信中断が生じることにより音切れが発生して音声品質を確保することが難しい。また、ある無線チャネルの電波到達範囲１Ａ内で、他の無線基地局３、４が該無線チャネルに周波数的に隣接する隣接チャネルを使用して無線通信を行っている場合、これら無線基地局１と他の無線基地局３、４との距離が近いと、隣接チャネルの電波が干渉波となる。このため、無線基地局１は、キャリアセンス機能によって、送信しようとする無線チャネルにおいて通信遅延などの影響を受けることがある。
【００１４】
このため、第１実施形態に係る無線基地局１は、音声等のデータを低遅延で伝送するために、無線基地局１に無線端末２が接続されていない時に、無線基地局１が送信しようと準備している無線チャネル（目的チャネル）と、この無線チャネルに周波数的に隣接する隣接チャネルとにそれぞれ通信負荷をかけることにより、他の無線基地局３、４が自動チャネル選択機能で、目的チャネル及び隣接チャネルを選択し難くするものである。
【００１５】
第１実施形態では、説明の便宜上、無線基地局１は５ＧＨｚ帯の周波数帯のうち、Ｗ５２で規定される無線チャネルを使用するものとする。このＷ５２では、４つの無線チャネル（ＣＨ３６、ＣＨ４０、ＣＨ４４及びＣＨ４８）が設定されている。無線基地局１が送信しようと準備している無線チャネル（目的チャネル）はＣＨ４０とし、隣接チャネルはＣＨ３６、ＣＨ４４とする。また、無線基地局１が目的チャネルであるＣＨ４０を使用し、他の無線基地局３が隣接チャネルの一方であるＣＨ３６、他の無線基地局４が隣接チャネルの他方であるＣＨ４４を使用している場合、無線基地局１は、隣接チャネルを使用している他の無線基地局３、４が出力する電波をキャリアセンス機能で検知できる状態にあるものとする。なお、使用する無線チャネルはＷ５２に限るものではなく、Ｗ５３やＷ５６に規定される無線チャネルを選択することもできる。また、使用する周波数帯も５ＧＨｚ帯に限るものではなく、２．４ＧＨｚ帯を使用してもよい。
【００１６】
次に、無線基地局１の機能構成を説明する。図２は、無線基地局の機能構成図である。無線基地局１は、図２に示すように、制御部１０と、無線通信回路１１と、ビーコン送信処理部１２と、チャネル切替処理部１３と、データ送信処理部１４と、ＣＴＳ送信処理部１５と、通信負荷検出部１６と、記憶部１７とを備える。
【００１７】
制御部１０は、マイクロプロセッサまたはマイクロコンピュータで構成することができる。制御部１０は、機能的な内部構成として、通信制御部２０、記憶制御部２１、チャネル選択制御部２２、キャリアセンス制御部２３及び送信順序管理部２４を有する。これら通信制御部２０、記憶制御部２１、チャネル選択制御部２２、キャリアセンス制御部２３及び送信順序管理部２４は、ソフトウェア（コンピュータプログラム）で構成されていてもよいし、ハードウェアで構成されていてもよい。さらに、ソフトウェアとハードウェアとを組み合わせて構成してもよい。
【００１８】
通信制御部２０は、無線通信回路１１の動作を制御する。例えば、選択された無線チャネルを使用して無線端末２（図１）と接続し、無線端末２に音声データを送信し、無線端末２から伝送される音声データを受信する。記憶制御部２１は、記憶部１７に記憶されている各種データの読み出し、または、書き込みを制御する。チャネル選択制御部２２は、通信負荷検出部１６が検出した複数の無線チャネルの通信負荷の大きさに基づいて、複数の無線チャネルの中から最適な無線チャネルを選択する自動無線チャネル選択機能を実行する。キャリアセンス制御部２３は、通信負荷検出部１６が検出した無線チャネルの通信負荷の大きさに基づき、他の無線基地局３、４が該無線チャネルを使用しているか否かを確認するキャリアセンス機能を実行する。
【００１９】
第１実施形態では、無線基地局１は、該無線基地局１が送信しようと準備している無線チャネル（目的チャネル）と、この無線チャネルに隣接する隣接チャネルにそれぞれ通信負荷をかけるために、各チャネルにビーコン、負荷データ及び送信するデータの長さ情報が記載されたＣＴＳフレームを送信している。送信順序管理部２４は、各チャネルに送信される、これらビーコン、負荷データ及びＣＴＳフレームの送信順序を管理する。
【００２０】
無線通信回路１１は、無線端末２もしくは他の無線基地局３、４との間で無線通信によるデータ（例えば音声データ）の送受信を処理するものであり、データを送受信するアンテナ１１Ａが接続されている。ビーコン送信処理部１２は、無線基地局１に無線端末２が接続されていないときに、該無線基地局１としてサービスしていることを示すビーコン（ビーコン信号）を生成し、このビーコンを指定された無線チャネルに送信する。
【００２１】
チャネル切替処理部１３は、送信順序管理部２４の指示に基づき、ビーコン、負荷データ及びＣＴＳフレームを送信するための無線チャネルの切り替えを実行する。具体的には、チャネル切替処理部１３は、目的チャネルであるＣＨ４０と、隣接チャネルであるＣＨ３６、ＣＨ４４とを指示に従い切り替える。また、チャネル切替処理部１３は、チャネル選択制御部２２の指示に基づいて自動無線チャネル選択機能を実行してもよい。
【００２２】
データ送信処理部１４は、無線基地局１に無線端末２が接続されていないときに、ビーコンに続いて、パケット化された負荷データを指定された無線チャネルに送信する。この負荷データは、無線チャネルに所定の通信負荷をかけるための容量のある実データである。負荷データは、実際に使用される音声データである必要はなく、例えば、記憶部１７に格納されたデータ（ダミーデータ）を読み出して使用することができる。なお、無線基地局１には無線端末２が接続されていないため、データ送信処理部１４は、負荷データを無線端末２に送信することはできない。このため、データ送信処理部１４は、送信先として特定の複数のアドレスを指定し、１対複数の形態でデータ送信が行われるマルチキャストを実行する。また、データ送信処理部１４は、マルチキャストに代えて、送信先として同じデータリンク内の全宛先を指定し、１対不特定多数の形態でデータ送信が行われるブロードキャストを実行してもよい。
【００２３】
ＣＴＳ送信処理部１５は、無線基地局１に無線端末２が接続されていないときに、ＣＴＳフレームを指定された無線チャネルに送信する。このような、ＲＴＳ（Ｒｅｑｕｅｓｔ  ｔｏ  Ｓｅｎｄ）フレームへの応答ではないＣＴＳ（Ｃｌｅａｒ  ｔｏ  Ｓｅｎｄ）フレームは、自局がデータを送信したい期間をデュレーション／ＩＤフィールドに設定することで、ＣＴＳを受信した端末にその期間、無線チャネルがビジーであると判断させ、無線チャネルの使用を抑制する制御フレームである。ＣＴＳフレームには、デュレーション/ＩＤフィールド（不図示）が設けられている。このデュレーション/ＩＤフィールドには、指定された無線チャネルを無線基地局１が使用する予定期間（時間）が記載されており、この期間だけ他の無線基地局３、４が指定された無線チャネルの使用を禁止する。
【００２４】
通信負荷検出部１６は、無線通信で使用できる複数の無線チャネルの通信負荷の大きさを検出する。この検出した通信負荷の大きさは、自動無線チャネル選択機能やキャリアセンス機能に用いることができる。
【００２５】
記憶部１７は、上記したデータ送信処理部１４が送信する負荷データが記憶されている。また、記憶部１７には、無線通信回路１１を介して、送信される音声データや受信された音声データなどを一時的に記憶するバッファとしても機能する。
【００２６】
次に、無線基地局１の動作について説明する。第１実施形態では、無線基地局１は、目的チャネルであるＣＨ４０と、隣接チャネルであるＣＨ３６、ＣＨ４４とにそれぞれ通信負荷をかけ、これら３つの無線チャネルの帯域を占有する。図３は、３つの無線チャネルにそれぞれ通信負荷をかける無線基地局の動作を示すフローチャートであり、図４は、各無線チャネルに対する送信動作を説明するためのタイムチャートである。なお、送信順序管理部２４が各チャネルＣＨ３６、ＣＨ４０、ＣＨ４４に送信するビーコンの間隔は、約１００ｍｓで、ＣＴＳのデュレーション/ＩＤフィールドに設定できる最大時間は、ビーコン間隔よりも短い６４ｍｓに設定されている。
【００２７】
送信順序管理部２４は、チャネル切替処理部１３にチャネル切替処理を指示し、チャネル切替処理部１３は、指示に従い送信するための無線チャネルを隣接チャネルの１つであるＣＨ３６に切り替える（ステップＳＴ３０）。送信順序管理部２４は、ビーコン１０１を送信するタイミングになると、ビーコン送信処理部１２にビーコン送信処理を指示し、ビーコン送信処理部１２は、指示に従いＣＨ３６に切り替えられた無線チャネルにビーコン１０１を送信する（ステップＳＴ３１）。続いて、送信順序管理部２４は、パケット化されたデータ１０２（負荷データ）を送信する時間を計算し、データ送信処理部１４にデータ送信処理を指示する。データ送信処理部１４は、指示に従いＣＨ３６に、ビーコン１０１に続けてデータ１０２を送信する（ステップＳＴ３２）。これにより、ＣＨ３６の無線チャネルに通信負荷をかけることができるため、他の無線基地局３、４は、自動無線チャネル選択機能により、通信負荷がかかったＣＨ３６の無線チャネルを選択し難くなる。
【００２８】
次に、送信順序管理部２４は、データ１０２の送信直後から図４に示すＣＴＳ切替１５０までの時間を計算し、ＣＴＳ送信処理部１５にＣＴＳ送信処理を指示する。ＣＴＳ送信処理部１５は、指示に従いＣＨ３６に、データ１０２に続けてＣＴＳ１０３（ＣＴＳフレーム）を送信する（ステップＳＴ３３）。ＣＴＳ１０３のデュレーション/ＩＤフィールドには、データ１０２の送信直後からＣＴＳ切替１５０までの時間が設定されており、ＣＴＳ１０３を受信した無線基地局３、４や無線端末（不図示）は、データ１０２の送信直後からＣＴＳ切替１５０までの時間、ＣＴＳ１０３を受信したＣＨ３６で送信処理を行うことができない。
【００２９】
次に、送信順序管理部２４は、チャネル切替処理部１３にチャネル切替処理を指示し、チャネル切替処理部１３は、指示に従い送信するための無線チャネルをＣＨ３６から目的チャネルであるＣＨ４０に切り替える（ステップＳＴ３４）。送信順序管理部２４は、ビーコン１０４を送信するタイミングになると、ビーコン送信処理部１２にビーコン送信処理を指示し、ビーコン送信処理部１２は、指示に従いＣＨ４０に切り替えられた無線チャネルにビーコン１０４を送信する（ステップＳＴ３５）。続いて、送信順序管理部２４は、パケット化されたデータ１０５（負荷データ）を送信する時間を計算し、データ送信処理部１４にデータ送信処理を指示する。データ送信処理部１４は、指示に従いＣＨ４０に、ビーコン１０４に続けてデータ１０５を送信する（ステップＳＴ３６）。これにより、ＣＨ４０の無線チャネルに通信負荷をかけることができる。
【００３０】
次に、送信順序管理部２４は、データ１０５の送信直後から図４に示すＣＴＳ切替１５１までの時間を計算し、ＣＴＳ送信処理部１５にＣＴＳ送信処理を指示する。ＣＴＳ送信処理部１５は、指示に従いＣＨ４０に、データ１０５に続けてＣＴＳ１０６（ＣＴＳフレーム）を送信する（ステップＳＴ３７）。ＣＴＳ１０６のデュレーション/ＩＤフィールドには、データ１０５の送信直後からＣＴＳ切替１５１までの時間が設定されており、ＣＴＳ１０６を受信した無線基地局３、４や無線端末（不図示）は、データ１０５の送信直後からＣＴＳ切替１５１までの時間、ＣＴＳ１０６を受信したＣＨ４０で送信処理を行うことができない。
【００３１】
次に、ＣＴＳ切替１５０までの時間が経過すると、送信順序管理部２４は、チャネル切替処理部１３にチャネル切替処理を指示し、チャネル切替処理部１３は、指示に従い送信するための無線チャネルをＣＨ４０から隣接チャネルの１つであるＣＨ３６に切り替える（ステップＳＴ３８）。送信順序管理部２４は、ＣＴＳ切替１５０から図４に示すビーコン１１２までの時間を計算し、ＣＴＳ送信処理部１５にＣＴＳ送信処理を指示する。ＣＴＳ送信処理部１５は、指示に従い切り替えられたＣＨ３６に、ＣＴＳ１０７（ＣＴＳフレーム）を送信する（ステップＳＴ３９）。ＣＴＳ１０７のデュレーション/ＩＤフィールドには、ＣＴＳ切替１５０からビーコン１１２までの時間が設定されており、ＣＴＳ１０７を受信した無線基地局３、４や無線端末（不図示）は、ＣＴＳ切替１５０からビーコン１１２までの時間、ＣＴＳ１０７を受信したＣＨ３６で送信処理を行うことができない。
【００３２】
次に、送信順序管理部２４は、チャネル切替処理部１３にチャネル切替処理を指示し、チャネル切替処理部１３は、指示に従い送信するための無線チャネルをＣＨ３６から隣接チャネルのもう１つであるＣＨ４４に切り替える（ステップＳＴ４０）。送信順序管理部２４は、ビーコン１０８を送信するタイミングになると、ビーコン送信処理部１２にビーコン送信処理を指示し、ビーコン送信処理部１２は、指示に従いＣＨ４４に切り替えられた無線チャネルにビーコン１０８を送信する（ステップＳＴ４１）。続いて、送信順序管理部２４は、パケット化されたデータ１０９（負荷データ）を送信する時間を計算し、データ送信処理部１４にデータ送信処理を指示する。データ送信処理部１４は、指示に従いＣＨ４４に、ビーコン１０８に続けてデータ１０９を送信する（ステップＳＴ４２）。これにより、ＣＨ４４の無線チャネルに通信負荷をかけることができる。
【００３３】
次に、送信順序管理部２４は、データ１０９の送信直後から図４に示すＣＴＳ切替１５２までの時間を計算し、ＣＴＳ送信処理部１５にＣＴＳ送信処理を指示する。ＣＴＳ送信処理部１５は、指示に従いＣＨ４４に、データ１０９に続けてＣＴＳ１１０（ＣＴＳフレーム）を送信する（ステップＳＴ４３）。ＣＴＳ１１０のデュレーション/ＩＤフィールドには、データ１０９の送信直後からＣＴＳ切替１５２までの時間が設定されており、ＣＴＳ１１０を受信した無線基地局３、４や無線端末（不図示）は、データ１０９の送信直後からＣＴＳ切替１５２までの時間、ＣＴＳ１１０を受信したＣＨ４４で送信処理を行うことができない。
【００３４】
次に、ＣＴＳ切替１５１までの時間が経過すると、送信順序管理部２４は、チャネル切替処理部１３にチャネル切替処理を指示し、チャネル切替処理部１３は、指示に従い送信するための無線チャネルをＣＨ４４から目的チャネルであるＣＨ４０に切り替える（ステップＳＴ４４）。送信順序管理部２４は、ＣＴＳ切替１５１から図４に示すビーコン１１６までの時間を計算し、ＣＴＳ送信処理部１５にＣＴＳ送信処理を指示する。ＣＴＳ送信処理部１５は、指示に従い切り替えられたＣＨ４０に、ＣＴＳ１１１（ＣＴＳフレーム）を送信する（ステップＳＴ４５）。ＣＴＳ１１１のデュレーション/ＩＤフィールドには、ＣＴＳ切替１５１からビーコン１１６までの時間が設定されており、ＣＴＳ１１１を受信した無線基地局３、４や無線端末（不図示）は、ＣＴＳ切替１５１からビーコン１１６までの時間、ＣＴＳ１１１を受信したＣＨ４０で送信処理を行うことができない。
【００３５】
次に、送信順序管理部２４は、チャネル切替処理部１３にチャネル切替処理を指示し、チャネル切替処理部１３は、指示に従い送信するための無線チャネルをＣＨ４０から隣接チャネルの１つであるＣＨ３６に切り替える（ステップＳＴ４６）。送信順序管理部２４は、ビーコン１１２を送信するタイミングになると、ビーコン送信処理部１２にビーコン送信処理を指示し、ビーコン送信処理部１２は、指示に従いＣＨ３６に切り替えられた無線チャネルにビーコン１１２を送信する（ステップＳＴ４７）。続いて、送信順序管理部２４は、パケット化されたデータ１１３（負荷データ）を送信する時間を計算し、データ送信処理部１４にデータ送信処理を指示する。データ送信処理部１４は、指示に従いＣＨ３６に、ビーコン１１２に続けてデータ１１３を送信する（ステップＳＴ４８）。これにより、ＣＨ３６の無線チャネルに通信負荷をかけることができる。
【００３６】
次に、送信順序管理部２４は、データ１１３の送信直後から図４に示すＣＴＳ切替１５３までの時間を計算し、ＣＴＳ送信処理部１５にＣＴＳ送信処理を指示する。ＣＴＳ送信処理部１５は、指示に従いＣＨ３６に、データ１１３に続けてＣＴＳ１１４（ＣＴＳフレーム）を送信する（ステップＳＴ４９）。ＣＴＳ１１４のデュレーション/ＩＤフィールドには、データ１１３の送信直後からＣＴＳ切替１５３までの時間が設定されており、ＣＴＳ１１４を受信した無線基地局３、４や無線端末（不図示）は、データ１１３の送信直後からＣＴＳ切替１５３までの時間、ＣＴＳ１１４を受信したＣＨ３６で送信処理を行うことができない。
【００３７】
次に、ＣＴＳ切替１５２までの時間が経過すると、送信順序管理部２４は、チャネル切替処理部１３にチャネル切替処理を指示し、チャネル切替処理部１３は、指示に従い送信するための無線チャネルをＣＨ３６からもう１つの隣接チャネルであるＣＨ４４に切り替える（ステップＳＴ５０）。送信順序管理部２４は、ＣＴＳ切替１５２から図４に示すビーコン１２０までの時間を計算し、ＣＴＳ送信処理部１５にＣＴＳ送信処理を指示する。ＣＴＳ送信処理部１５は、指示に従い切り替えられたＣＨ４４に、ＣＴＳ１１５（ＣＴＳフレーム）を送信する（ステップＳＴ５１）。ＣＴＳ１１５のデュレーション/ＩＤフィールドには、ＣＴＳ切替１５２からビーコン１２０までの時間が設定されており、ＣＴＳ１１５を受信した無線基地局３、４や無線端末（不図示）は、ＣＴＳ切替１５２からビーコン１２０までの時間、ＣＴＳ１１５を受信したＣＨ４４で送信処理を行うことができない。ステップＳＴ５１以降の処理は、処理をステップＳＴ３４に戻してチャネル切替処理（ステップＳＴ３４）からＣＴＳ送信処理（ステップＳＴ５１）を繰り返して実行する。
【００３８】
上記した動作では、例えば、無線基地局１が無線チャネルＣＨ３６において、ＣＴＳ１１４を送信しているとき、このチャネルＣＨ３６ではデータを送信していないが、隣の無線チャネルＣＨ４０でデータ１１７を送信している。このため、電波到達範囲１Ａ内に存在する他の無線基地局３、４は、チャネルＣＨ３６において、データ１１７をキャリアセンスで検出することにより、チャネルＣＨ３６に通信負荷がかかっていると判断する。また、隣接チャネルであるチャネルＣＨ３６のＣＴＳ１１４、及び、チャネルＣＨ４４のＣＴＳ１１５により、チャネルＣＨ３６及びチャネルＣＨ４４で他の無線基地局３、４および無線端末によるデータ通信が抑制されているため、無線基地局１は、目的チャネルであるチャネルＣＨ４０を用いて、データ１１７を隣接チャネルの影響を受けることなく送信することができる。
【００３９】
［第２実施形態］
第１実施形態では、無線基地局１の送信順序管理部２４は、目的チャネルであるＣＨ４０と、隣接チャネルであるＣＨ３６、ＣＨ４４とにそれぞれデータを送信することで通信負荷をかけ、これら３つの無線チャネルの帯域を占有する構成としたが、第２実施形態では、隣接チャネルであるＣＨ３６、ＣＨ４４にそれぞれデータを送信することで通信負荷をかけ、目的チャネルであるＣＨ４０にはＣＴＳのみを間欠的に送信することで、これら３つの無線チャネルの帯域を占有する構成である。無線基地局１の構成については第１実施形態と同一であるため、同一の符号を付して説明を省略する。この第２実施形態に係る無線基地局１の動作について説明する。図５は、無線チャネルにおける２つの隣接チャネルにそれぞれ通信負荷をかける無線基地局の動作を示すフローチャートであり、図６は、各無線チャネルに対する送信動作を説明するためのタイムチャートである。なお、送信順序管理部２４が各チャネルＣＨ３６、ＣＨ４０、ＣＨ４４に送信するビーコンの間隔は、約１００ｍｓで、ＣＴＳのデュレーション/ＩＤフィールドに設定できる最大時間は、ビーコン間隔よりも短い６４ｍｓに設定されている。
【００４０】
送信順序管理部２４は、チャネル切替処理部１３にチャネル切替処理を指示し、チャネル切替処理部１３は、指示に従い送信するための無線チャネルを隣接チャネルの１つであるＣＨ３６に切り替える（ステップＳＴ６０）。送信順序管理部２４は、ビーコン２０１を送信するタイミングになると、ビーコン送信処理部１２にビーコン送信処理を指示し、ビーコン送信処理部１２は、指示に従いＣＨ３６に切り替えられた無線チャネルにビーコン２０１を送信する（ステップＳＴ６１）。続いて、送信順序管理部２４は、パケット化されたデータ２０２（負荷データ）を送信する時間を計算し、データ送信処理部１４にデータ送信処理を指示する。データ送信処理部１４は、指示に従いＣＨ３６に、ビーコン２０１に続けてデータ２０２を送信する（ステップＳＴ６２）。これにより、ＣＨ３６の無線チャネルに通信負荷をかけることができるため、他の無線基地局３、４は、自動無線チャネル選択機能により、通信負荷をかかったＣＨ３６の無線チャネルを選択し難くなる。
【００４１】
次に、送信順序管理部２４は、データ２０２の送信直後から図６に示すビーコン２０９までの時間を計算し、ＣＴＳ送信処理部１５にＣＴＳ送信処理を指示する。ＣＴＳ送信処理部１５は、指示に従いＣＨ３６に、データ２０２に続けてＣＴＳ２０３（ＣＴＳフレーム）を送信する（ステップＳＴ６３）。ＣＴＳ２０３のデュレーション/ＩＤフィールドには、データ２０２の送信直後からビーコン２０９までの時間が設定されており、ＣＴＳ２０３を受信した無線基地局３、４や無線端末（不図示）は、データ２０２の送信直後からビーコン２０９までの時間、ＣＴＳ２０３を受信したＣＨ３６で送信処理を行うことができない。
【００４２】
次に、送信順序管理部２４は、チャネル切替処理部１３にチャネル切替処理を指示し、チャネル切替処理部１３は、指示に従い送信するための無線チャネルをＣＨ３６から目的チャネルであるＣＨ４０に切り替える（ステップＳＴ６４）。送信順序管理部２４は、ビーコン２０４を送信するタイミングになると、ビーコン送信処理部１２にビーコン送信処理を指示し、ビーコン送信処理部１２は、指示に従いＣＨ４０に切り替えられた無線チャネルにビーコン２０４を送信する（ステップＳＴ６５）。続いて、送信順序管理部２４は、ビーコン２０４から図６に示すビーコン２１２までの時間を計算し、ＣＴＳ送信処理部１５にＣＴＳ送信処理を指示する。ＣＴＳ送信処理部１５は、指示に従いＣＨ４０に、ビーコン２０４に続けてＣＴＳ２０５（ＣＴＳフレーム）を送信する（ステップＳＴ６６）。ＣＴＳ２０５のデュレーション/ＩＤフィールドには、ビーコン２０４からビーコン２１２までの時間、もしくは、デュレーション/ＩＤフィールドに設定できる最大時間のいずれか小さい方の時間が設定されている。このため、ＣＴＳ２０５を受信した無線基地局３、４や無線端末（不図示）は、デュレーション/ＩＤフィールドに設定された時間、ＣＴＳ２０５を受信したＣＨ４０で送信処理を行うことができない。
【００４３】
次に、送信順序管理部２４は、チャネル切替処理部１３にチャネル切替処理を指示し、チャネル切替処理部１３は、指示に従い送信するための無線チャネルをＣＨ４０から隣接チャネルのもう１つであるＣＨ４４に切り替える（ステップＳＴ６７）。送信順序管理部２４は、ビーコン２０６を送信するタイミングになると、ビーコン送信処理部１２にビーコン送信処理を指示し、ビーコン送信処理部１２は、指示に従いＣＨ４４に切り替えられた無線チャネルにビーコン２０６を送信する（ステップＳＴ６８）。続いて、送信順序管理部２４は、パケット化されたデータ２０７（負荷データ）を送信する時間を計算し、データ送信処理部１４にデータ送信処理を指示する。データ送信処理部１４は、指示に従いＣＨ４４に、ビーコン２０６に続けてデータ２０７を送信する（ステップＳＴ６９）。これにより、ＣＨ４４の無線チャネルに通信負荷をかけることができる。
【００４４】
次に、送信順序管理部２４は、データ２０７の送信直後から図６に示すビーコン２１４までの時間を計算し、ＣＴＳ送信処理部１５にＣＴＳ送信処理を指示する。ＣＴＳ送信処理部１５は、指示に従いＣＨ４４に、データ２０７に続けてＣＴＳ２０８（ＣＴＳフレーム）を送信する（ステップＳＴ７０）。ＣＴＳ２０８のデュレーション/ＩＤフィールドには、データ２０７の送信直後からビーコン２１４までの時間が設定されている。このため、ＣＴＳ２０８を受信した無線基地局３、４や無線端末（不図示）は、データ２０７の送信直後からビーコン２１４までの時間、ＣＴＳ２０８を受信したＣＨ４４で送信処理を行うことができない。ステップＳＴ７０以降の処理は、処理をステップＳＴ６０に戻してチャネル切替処理（ステップＳＴ６０）からＣＴＳ送信処理（ステップＳＴ７０）を繰り返して実行する。
【００４５】
上記した動作では、無線基地局１は、無線チャネルＣＨ４０ではデータを送信していないが、隣接する無線チャネルＣＨ３６、４４で交互にデータ２０２、２０７を送信している。このため、電波到達範囲１Ａ内に存在する他の無線基地局３、４は、チャネルＣＨ４０において、データ２０２、２０７をキャリアセンスで検出することにより、チャネルＣＨ４０に通信負荷がかかっていると判断する。また、一方の隣接チャネル４４がデータ２０７を送信している時に、無線チャネルＣＨ４０はＣＴＳ２０５を送信するため、チャネルＣＨ４０のＣＴＳ２０５により、他の無線基地局３、４および無線端末によるデータ通信が抑制される。このため、無線基地局１は、隣接チャネルであるチャネルＣＨ３６、４４を用いて、データ２０２、２０７を無線チャネルＣＨ４０の影響を受けることなく送信することができる。
【００４６】
［第３実施形態］
第３実施形態では、無線基地局１は、目的チャネルをＷ５２の端のチャネルであるＣＨ３６とする。この場合、隣接チャネルはＣＨ４０のみとなるため、第３実施形態では、ＣＨ３６とＣＨ４０にそれぞれデータを送信することで通信負荷をかけ、２つの無線チャネルの帯域を占有する構成である。無線基地局１の構成については第１実施形態と同一であるため、同一の符号を付して説明を省略する。この第３実施形態に係る無線基地局１の動作について説明する。図７は、２つの無線チャネルにそれぞれ通信負荷をかける無線基地局の動作を示すフローチャートであり、図８は、各無線チャネルに対する送信動作を説明するためのタイムチャートである。なお、送信順序管理部２４が各チャネルＣＨ３６、ＣＨ４０、ＣＨ４４に送信するビーコンの間隔は、約１００ｍｓで、ＣＴＳのデュレーション/ＩＤフィールドに設定できる最大時間は、ビーコン間隔よりも短い６４ｍｓに設定されている。
【００４７】
送信順序管理部２４は、チャネル切替処理部１３にチャネル切替処理を指示し、チャネル切替処理部１３は、指示に従い送信するための無線チャネルを目的チャネルであるＣＨ３６に切り替える（ステップＳＴ８０）。送信順序管理部２４は、ビーコン３０１を送信するタイミングになると、ビーコン送信処理部１２にビーコン送信処理を指示し、ビーコン送信処理部１２は、指示に従いＣＨ３６に切り替えられた無線チャネルにビーコン３０１を送信する（ステップＳＴ８１）。続いて、送信順序管理部２４は、パケット化されたデータ３０２（負荷データ）を送信する時間を計算し、データ送信処理部１４にデータ送信処理を指示する。データ送信処理部１４は、指示に従いＣＨ３６に、ビーコン３０１に続けてデータ３０２を送信する（ステップＳＴ８２）。これにより、ＣＨ３６の無線チャネルに通信負荷をかけることができるため、他の無線基地局３、４は、自動無線チャネル選択機能により、通信負荷をかかったＣＨ３６の無線チャネルを選択し難くなる。
【００４８】
次に、送信順序管理部２４は、データ３０２の送信直後から図８に示すビーコン３０７までの時間を計算し、ＣＴＳ送信処理部１５にＣＴＳ送信処理を指示する。ＣＴＳ送信処理部１５は、指示に従いＣＨ３６に、データ３０２に続けてＣＴＳ３０３（ＣＴＳフレーム）を送信する（ステップＳＴ８３）。ＣＴＳ３０３のデュレーション/ＩＤフィールドには、データ３０２の送信直後からビーコン３０７までの時間、もしくは、デュレーション/ＩＤフィールドに設定できる最大時間のいずれか小さい方の時間が設定されている。このため、ＣＴＳ３０３を受信した無線基地局３、４や無線端末（不図示）は、デュレーション/ＩＤフィールドに設定された時間、ＣＴＳ３０３を受信したＣＨ３６で送信処理を行うことができない。
【００４９】
次に、送信順序管理部２４は、チャネル切替処理部１３にチャネル切替処理を指示し、チャネル切替処理部１３は、指示に従い送信するための無線チャネルをＣＨ３６から隣接チャネルであるＣＨ４０に切り替える（ステップＳＴ８４）。送信順序管理部２４は、ビーコン３０４を送信するタイミングになると、ビーコン送信処理部１２にビーコン送信処理を指示し、ビーコン送信処理部１２は、指示に従いＣＨ４０に切り替えられた無線チャネルにビーコン３０４を送信する（ステップＳＴ８５）。続いて、送信順序管理部２４は、パケット化されたデータ３０５（負荷データ）を送信する時間を計算し、データ送信処理部１４にデータ送信処理を指示する。データ送信処理部１４は、指示に従いＣＨ４０に、ビーコン３０４に続けてデータ３０５を送信する（ステップＳＴ８６）。これにより、ＣＨ４０の無線チャネルに通信負荷をかけることができる。
【００５０】
次に、送信順序管理部２４は、データ３０５の送信直後から図８に示すビーコン３１０までの時間を計算し、ＣＴＳ送信処理部１５にＣＴＳ送信処理を指示する。ＣＴＳ送信処理部１５は、指示に従いＣＨ４０に、データ３０５に続けてＣＴＳ３０６（ＣＴＳフレーム）を送信する（ステップＳＴ８７）。ＣＴＳ３０６のデュレーション/ＩＤフィールドには、データ３０５の送信直後からビーコン３１０までの時間、もしくは、デュレーション/ＩＤフィールドに設定できる最大時間のいずれか小さい方の時間が設定されている。このため、ＣＴＳ３０６を受信した無線基地局３、４や無線端末（不図示）は、デュレーション/ＩＤフィールドに設定された時間、ＣＴＳ３０６を受信したＣＨ４０で送信処理を行うことができない。ステップＳＴ８７以降の処理は、処理をステップＳＴ８０に戻してチャネル切替処理（ステップＳＴ８０）からＣＴＳ送信処理（ステップＳＴ８７）を繰り返して実行する。
【００５１】
上記した動作では、例えば、無線基地局１が無線チャネルＣＨ３６において、ＣＴＳ３０３を送信しているとき、このチャネルＣＨ３６ではデータを送信していないが、隣の無線チャネルＣＨ４０でデータ３０５を送信している。このため、電波到達範囲１Ａ内に存在する他の無線基地局３、４は、チャネルＣＨ３６において、データ３０５をキャリアセンスで検出することにより、チャネルＣＨ３６に通信負荷がかかっていると判断する。また、隣接チャネルであるチャネルＣＨ４０のＣＴＳ３０６により、チャネルＣＨ４０で他の無線基地局３、４および無線端末によるデータ通信が抑制されているため、無線基地局１は、目的チャネルであるチャネルＣＨ３６を用いて、データ３０８を隣接チャネルの影響を受けることなく送信することができる。
【００５２】
以上説明したように、本実施形態の無線基地局１は、目的チャネルであるＣＨ４０と、隣接チャネルであるＣＨ３６、ＣＨ４４との間で順次チャネルを切り替えるチャネル切替処理部１３と、切り替えられた各チャネルＣＨ３６、ＣＨ４０、ＣＨ４４に送信されるビーコン、データ及びＣＴＳの送信順序を管理する送信順序管理部２４とを備え、送信順序管理部２４は、チャネルＣＨ３６、ＣＨ４０、ＣＨ４４のいずれか一つにデータが送信されている時に、残りの少なくとも一つのチャネルにＣＴＳを送信する。このため、送信順序管理部２４は、目的チャネル及び隣接チャネルのいずれか一つのチャネルに通信負荷をかけつつ、残りの少なくとも一つのチャネルに送信したＣＴＳにより、設定された予定期間、該チャネルの使用を禁止することで、無線基地局１が使用したい目的チャネル及び隣接チャネルを他の無線基地局３、４が選択して使用することを抑制できる。
【００５３】
また、本実施形態によれば、目的チャネル及び隣接チャネルにデータを送信して各チャネルＣＨ３６、ＣＨ４０、ＣＨ４４に通信負荷をかけるデータ送信処理部１４を備え、データ送信処理部１４は、切り替えられた各チャネルＣＨ３６、ＣＨ４０、ＣＨ４４にそれぞれデータを間欠的に順次送信するため、各チャネルＣＨ３６、ＣＨ４０、ＣＨ４４の見かけ上の通信負荷を簡単に高めることができ、これらチャネルＣＨ３６、ＣＨ４０、ＣＨ４４を他の無線基地局３、４が選択して使用することを抑制できる。
【００５４】
また、本実施形態によれば、目的チャネル及び隣接チャネルにデータを送信して各チャネルＣＨ３６、ＣＨ４０、ＣＨ４４に通信負荷をかけるデータ送信処理部１４を備え、２つのＣＨ３６、ＣＨ４４が目的チャネルＣＨ４０を挟んだ両側に設定され、データ送信処理部１４は、データを２つの隣接チャネルＣＨ３６、ＣＨ４４に間欠的に順次送信するため、他の無線基地局３、４は、隣接チャネルＣＨ３６、ＣＨ４４に送信されたデータをチャネルＣＨ４０においてキャリアセンスで検出することにより、チャネルＣＨ４０に通信負荷がかかっていると判断させることができる。このため、チャネルＣＨ４０を他の無線基地局３、４が選択して使用することを抑制できる。
【００５５】
また、本実施形態によれば、データは、ブロードキャストまたはマルチキャストによって送信されるため、無線基地局１に無線端末２が接続される前に、無線基地局１が使用したい目的チャネル及び隣接チャネルを他の無線基地局３、４が選択して使用することを抑制できる。
【００５６】
以上、本発明の実施形態について説明したが、本発明は、上記実施形態に限定されるものではない。
【符号の説明】
【００５７】
１  無線基地局（無線通信装置）
３、４  他の無線基地局（他の無線通信装置）
１０  制御部
１２  ビーコン送信処理部
１３  チャネル切替処理部
１４  データ送信処理部
１５  ＣＴＳ送信処理部
１６  通信負荷検出部
２０  通信制御部
２２  チャネル選択制御部
２３  キャリアセンス制御部
【図１】
2020161929.tif 000003
【図２】
2020161929.tif 000004
【図３】
2020161929.tif 000005
【図４】
2020161929.tif 000006
【図５】
2020161929.tif 000007
【図６】
2020161929.tif 000008
【図７】
2020161929.tif 000009
【図８】
2020161929.tif 000010